(57)【要約】【課題】設置後の貯湯タンクを満水にする作業を、コストをかけずに簡単に実施できる貯湯式温水器を提供する。【解決手段】まず、予め設定されている物体検出信号が受信されたかどうかを確認する（ステップＳ１）。受信されている場合は電動止水弁７を開弁し、貯湯タンク２内の温水が自動水栓１０から吐水される（ステップＳ３）。次にその状態が５分経過したかどうかを確認し（ステップＳ４）、５分経過した場合は電動止水弁７を閉弁し、自動水栓１０からの吐水を停止する（ステップＳ５）。このように電動止水弁７を連続で開弁することができるので、設置後の貯湯タンク２への給水作業を手間をかけずにできるようになる。【選択図】　図４
2004085113.tif 000002
【特許請求の範囲】
【請求項１】
給水源の下流に接続された貯湯タンクと、前記貯湯タンク内の水を加熱する加熱部と、前記貯湯タンクからの出湯経路と、前記出湯経路の下流に備えられ光学式の受発信センサーを具備した給湯口と、前記給湯口からの前記貯湯タンク内の水の吐水を開始／停止させるための電動弁と、前記受発信センサーからの物体検出信号に基づき前記電動弁へ開閉信号を出力する制御部からなる貯湯式温水器において、予め決められた規則に基づいた前記受発信センサーからの物体検出信号が受信された場合に所定時間電動弁を開弁することを特徴とした貯湯式温水器。
【請求項２】
給水源の下流に接続された貯湯タンクと、前記貯湯タンク内の水を加熱する加熱部と、前記貯湯タンクからの出湯経路と前記出湯経路の下流に備えられ光学式の受発信センサーを具備した給湯口と、前記給湯口からの前記貯湯タンク内の水の吐水を開始／停止させるための電動弁と、前記貯湯タンクを迂回し前記出湯管に合流するバイパス管と、前記出湯経路からの温水と前記バイバス管からの水の混合比を可変するための電動混合弁と、前記受発信センサーからの物体検出信号に基づき前記電動弁への開閉信号出力、ならびに前記電動混合弁駆動信号出力を行う制御部からなる貯湯式温水器において、予め決められた規則に基づいた前記受発信センサーからの物体検出信号が受信された場合に所定時間電動弁を開弁し、さらに前記電動混合弁を温水側の開度を全開とすることを特徴とした貯湯式温水器。
【請求項３】
前記予め決められた規則は、所定時間内に物体検出信号が複数回オン／オフされたこととした請求項１、２に記載の貯湯式温水器。
【発明の詳細な説明】
【０００１】
【発明の属する技術分野】
本発明は、洗面所などに設置される、貯湯タンクを備えた小型の貯湯式温水器に関する。
【０００２】
【従来の技術】
近年、オフィスビルやデパートなどの公共施設のトイレの手洗い器には、手をかざすと自動で吐水される自動水栓が設置されている。この自動水栓に温水を供給するために、手洗い器の下に２０Ｌ程度の貯湯量の貯湯式温水器を設置する方式が一般的に採用されており、複雑な工事をすることなく、簡単に温水を供給することができるようになっている。
【０００３】
【発明が解決しようとする課題】
上記した従来の貯湯式温水器では、設置後に空焚き防止のため、貯湯タンクを満水にした上で加熱を開始しなけらばならない。しかしながら、タンクを満水にするためには自動水栓に５分程度連続で手をかざし自動水栓の上流に備えられた電動止水弁を開弁する必要がある。一般的に公共施設ではトイレの手洗い器は複数個設置されているため、この作業を複数回繰り返し実施する必要があり、非常に手間がかかるという問題点があった。また、自動水栓の吐水部に連続吐水スイッチを設けたものもあるが、わざわざスイッチを設ける必要があり、コストアップになるという問題点もあった。
【０００４】
本発明は上記課題を解決するためになされたもので、本発明の目的は、設置後の貯湯タンクを満水にする作業を、コストをかけずに簡単に実施できる貯湯式温水器を提供することにある。
【０００５】
【課題を解決するための手段及びその作用・効果】
上記目的を達成するために請求項１では、給水源の下流に接続された貯湯タンクと、前記貯湯タンク内の水を加熱する加熱部と、前記貯湯タンクからの出湯経路と、前記出湯経路の下流に備えられ光学式の受発信センサーを具備した給湯口と、前記給湯口からの前記貯湯タンク内の水の吐水を開始／停止させるための電動弁と、前記受発信センサーからの物体検出信号に基づき前記電動弁へ開閉信号を出力する制御部からなる貯湯式温水器において、予め決められた規則に基づいた前記受発信センサーからの物体検出信号が受信された場合に所定時間電動弁を開弁することとした。
【０００６】
よって、予め決められた規則に基づき、前記受発信センサーに手をかざすだけで、制御部から電動止水弁に開弁指令が出力され、電動止水弁が５分程度の所定時間開弁される。この間に貯湯タンク内には給水源からの水が給水されることになる。このように新たにスイッチを設ける必要もなく、自動で貯湯タンクへの給水を実行することができる。
【０００７】
請求項２では、給水源の下流に接続された貯湯タンクと、前記貯湯タンク内の水を加熱する加熱部と、前記貯湯タンクからの出湯経路と前記出湯経路の下流に備えられ光学式の受発信センサーを具備した給湯口と、前記給湯口からの前記貯湯タンク内の水の吐水を開始／停止させるための電動弁と、前記貯湯タンクを迂回し前記出湯管に合流するバイパス管と、前記出湯経路からの温水と前記バイバス管からの水の混合比を可変するための電動混合弁と、前記受発信センサーからの物体検出信号に基づき前記電動弁への開閉信号出力、ならびに前記電動混合弁駆動信号出力を行う制御部からなる貯湯式温水器において、予め決められた規則に基づいた前記受発信センサーからの物体検出信号が受信された場合に所定時間電動弁を開弁し、さらに前記電動混合弁を温水側の開度を全開とすることとした。
【０００８】
よって、予め決められた規則に基づき、前記受発信センサーに手をかざすだけで、制御部から電動止水弁に開弁指令が出力され、さらに前記電動混合弁を温水側の開度へ、すなわち貯湯タンク側の通水経路が全開にされるため貯湯タンク内には給水源からの水が給水されることになる。このように新たにスイッチを設ける必要もなく、自動で貯湯タンクへの給水を実行することができる。
【０００９】
請求項３では、前記予め決められた規則は、所定時間内に物体検出信号が複数回オン／オフされたこととした請求項１、２に記載の貯湯式温水器。
【００１０】
よって、通常の手洗い行為時に、誤検出により誤って電動止水弁が連続開弁し、吐水が継続されることを防止することができる。
【００１１】
【発明の実施の形態】
以下、本発明の実施の形態を、図面により詳細に説明する。
図１は、本発明に係わる第一の実施形態に於ける給湯装置を示した構成図である。
給水源からの水は給水口１４、吐水量を一定に保つための定流量弁５、逆止弁６、電動止水弁７、給水管３とを通じて貯湯タンク２に流入する。貯湯タンク２の内部にはヒータ２０を配設している。ヒータ２０はケーシング１に取付けられた電源スイッチ（図示せず）の投入により通電されて発熱し、貯湯タンク２内の湯の温度が適温になると通電が中断され、所定温度低下すると再度通電されるような電気的構成としている。貯湯タンク２内で適温に沸かし上げられた温水は電動弁としての電動止水弁７が開くと、出湯管４を通して自動給水栓１０から出湯される。自動水栓１０には受発信センサー１０Ａが具備されており、発信部から赤外線を発信し、手などの物体から反射された赤外線を受光部で検出することで自動水栓１０に手がかざされたことを検出できる構成となっている。受発信センサー１０Ａは制御部５０と信号線１５で接続されている。また、電動止水弁７も制御部５０と信号線１６で接続されており、受発信センサー１０Ａの検出信号に基づき、電動止水弁７が開閉されるようになっている。すなわち、使用者が手をかざすと受発信センサー１０Ａが検出信号を発信し電動止水弁７が開弁され自動水栓１０から貯湯タンク２内の温水が吐水され、使用者が手を離すと検出信号は停止し、電動止水弁７が閉弁され、自動給水栓１０からの吐出は停止される。
【００１２】
図２は、本発明に係わる第二の実施形態に於ける給湯装置であり、図１との相違点は電動止水弁７が出湯管４に備えられている点のみであり、それ以外の構成は同じである。
【００１３】
図４は、図１、図２の構成の給湯装置における電動止水弁７の制御フローである。まず、予め設定されている物体検出信号が受信されたかどうかを確認する（ステップＳ１）。受信されている場合は電動止水弁７を開弁し、貯湯タンク２内の温水が自動水栓１０から吐水される（ステップＳ３）。次にその状態が５分経過したかどうかを確認し（ステップＳ４）、５分経過した場合は電動止水弁７を閉弁し、自動水栓１０からの吐水を停止する（ステップＳ５）。このように電動止水弁７を連続で開弁することができるので、設置後の貯湯タンク２への給水作業を手間をかけずにできるようになる。
【００１４】
図３は、本発明に係わる第三の実施形態に於ける給湯装置であり、給水源からの水は給水口１４、吐水量を一定に保つための定流量弁５、逆止弁６、電動止水弁７、給水管３とを通して貯湯タンク２に流入する。給水管３は、電動止水弁７の下流で貯湯タンク２を迂回するバイパス管１３に分岐していし、出湯管４に合流している。この合流点には電動混合弁１１が備えられており、貯湯タンク２内で高温に沸かし上げられた温水とバイパス管１３からの水が電動止水弁７で適温に混合されて自動水栓１０から出湯されるようになっている。また、電動混合弁１１の駆動モーターは信号線１７により制御部５１に接続されている。また、制御部５１は自動水栓１０と電動止水弁７にも接続されている。これら以外の構成については図１と同じであるため説明を略する。
【００１５】
図５は、図３の構成の給湯装置における電動止水弁７ならびに電動混合弁１１の制御フローである。図４との相違点はステップＳ１とステップＳ３の間にステップＳ２が入っている点のみある。すなわち予め設定されている物体検出信号が受信されたかどうかを確認した後（ステップＳ１）、受信されている場合は電動混合弁１１を温水側経路が全開に成る位置に駆動し（ステップＳ２）、次に電動止水弁７を開弁し、貯湯タンク２内の温水が自動水栓１０から吐水される（ステップＳ３）。このように電動紺合弁１１の温水側経路を全開にし、かつ電動止水弁７を連続で開弁することができるので、設置後の貯湯タンク２への給水作業を手間をかけずに効率よく短時間できるようになる。
【００１６】
図６は、予め決められた規則に基づいた前記受発信センサーからの物体検出信号
の一例である。物体検出信号がオフからオンになる変化点ａを時間Ｔ（例えば１０秒）以内に４回以上検出することを予め決められた規則としている。通常の手洗い行為ではこのような検出信号パターンはないため、誤検出により誤って電動止水弁７が連続開弁し、吐水が継続されることを防止することができる。
【図面の簡単な説明】
【図１】本発明に係わる第一の実施形態に於ける給湯装置
【図２】本発明に係わる第二の実施形態に於ける給湯装置
【図３】本発明に係わる第三の実施形態に於ける給湯装置
【図４】図１、図２の構成の給湯装置における電動止水弁７の制御フロー
【図５】図３の構成の給湯装置における電動止水弁７ならびに電動混合弁１１の制御フロー
【図６】予め決められた規則に基づいた前記受発信センサーからの物体検出信号
の一例
【符号の説明】
１…ケーシング
２…貯湯タンク
３…給水管
４…出湯管
５…定流量弁
６…逆止弁
７…電動止水弁
１０…自動給水栓
１０Ａ…受発信センサー
１１…電動混合弁
１４…給水口
２０…ヒータ
５０、５１…貯湯タンク制御部
【図１】
2004085113.tif 000003
【図２】
2004085113.tif 000004
【図３】
2004085113.tif 000005
【図４】
2004085113.tif 000006
【図５】
2004085113.tif 000007
【図６】
2004085113.tif 000008